(57)【要約】  【課題】  携帯電話機のダイヤルアップ接続による公衆回線を通じた無線通信機能を有効活用でき，情報発信側の複数の無線送信エリアが重複するエリアに無線端末が存在する場合でも，いずれの送信元に関する情報を用いて公衆回線を通じた通信を行うかをユーザの希望に沿って容易に選択できる無線端末。  【解決手段】  携帯電話機１に接続される無線端末１０が指向性無線受信機１１１を備え，目的とする無線発信機２１の方向に指向性無線受信機１１１を向けるだけで送信元を容易に選択する。携帯電話機１による通信は特に指向性は有さず，指向性無線受信機１１１を一定方向に保持することなく，無線発信機２１から得た発信機ＩＤとユーザＩＤとを用いて，公衆回線２２上のサーバ２３から発信機ＩＤ及びユーザＩＤに対応した配信情報を取得できる。無線端末１０の携帯アダプタ１２が携帯電話機１を制御して公衆回線２２を通じた通信を行う。【選択図】図１
2005286464.tif 000002
【特許請求の範囲】
【請求項１】
携帯電話機に接続されて携帯可能な無線端末において，
指向性を有する無線受信手段であって所定の場所に配置された所定の無線送信装置が存在する方向に向けられた場合に該無線送信装置に関する特定情報を受信する特定情報受信手段と，
前記携帯電話機を制御することにより，該携帯電話機を通じて，公衆回線に接続して前記特定情報を用いた通信を行う携帯電話制御手段と，
を具備してなることを特徴とする無線端末。
【請求項２】
前記携帯電話制御手段が，前記携帯電話機を通じて，前記特定情報を含む所定の情報配信要求を前記公衆回線に接続された所定の情報配信装置に対して送信するとともに，該情報配信要求に応じて前記情報配信装置から返信される前記特定情報に基づく配信情報を受信するものであり，
前記配信情報を出力する第１の出力手段を具備してなる請求項１に記載の無線端末。
【請求項３】
前記携帯電話制御手段が，前記情報配信要求に当該無線端末の識別情報も含めて送信してなる請求項２に記載の無線端末。
【請求項４】
前記携帯電話制御手段が，前記携帯電話機を制御することにより，前記特定情報に基づく音声メッセージを前記公衆回線を通じて他の電話機に送信してなる請求項１に記載の無線端末。
【請求項５】
前記特定情報受信手段が，赤外線による無線受信手段である請求項１〜４のいずれかに記載の無線端末。
【請求項６】
前記特定情報の一部又は全部が前記無線送信手段に対応する説明情報であり，
前記説明情報を出力する第２の出力手段を具備してなる請求項１〜５のいずれかに記載の無線端末。
【請求項７】
前記第１の出力手段及び／又は前記第２の出力手段が，前記携帯電話制御手段と有線又は無線により通信可能であり前記携帯電話制御手段と分離して構成されてなる請求項２又は６のいずれかに記載の無線端末。
【請求項８】
前記携帯電話制御手段と有線又は無線により通信可能であり前記携帯電話制御手段と分離して構成された音声入力手段を具備し，
前記第１の出力手段及び／又は前記第２の出力手段が音声出力手段であり，
前記携帯電話制御手段が，前記携帯電話機を通じて，前記音声入力手段及び前記音声出力手段を用いた他の電話機との通話処理を実行してなる請求項７に記載の無線端末。
【発明の詳細な説明】
【技術分野】
【０００１】
本発明は，携帯電話機に接続されて携帯可能な無線端末に関するものである。
【背景技術】
【０００２】
近年，携帯電話機が普及し，Ｗｅｂブラウザ（プログラム）の搭載により公衆回線（電話回線）を通じてインターネットに接続可能なものも多数を占めている。この携帯電話機を利用して各種サービスの提供が行われることが望まれている。例えば，観光地における観光案内の音声メッセージ送信やデジタル情報配信，目的地への移動経路を誘導する音声メッセージ送信やデジタル情報配信等である。
一方，障害者や高齢者或いは子供等，ユーザにとって携帯電話機の複雑な操作が困難な場合が多く，操作性の容易化が求められている。
一般に，無線による情報配信システムでは，複数の場所に配置された情報配信装置（基地局）が所定の通信エリアを有し，その通信エリア内に入った無線端末に対して情報配信装置から端末へ情報を配信する。
ここで，１つの情報配信装置の通信エリア内に複数の端末が存在する場合に，各端末に個別の情報を配信することや，複数の情報配信装置の通信エリアが重複するエリアに端末が存在する場合に，いずれの情報配信装置から情報配信を受けるかをユーザの希望に沿って選択することが問題となる。
【０００３】
従来，特許文献１には，携帯端末の所持者が誘導装置に近づくと，携帯端末が誘導装置が送信する信号により誘導装置に近づいたことを検知し，これに対し，前記誘導装置が前記携帯端末が送信する信号に応じて音声による状況説明等を行う誘導システムが提案されている。
また，特許文献２には，端末を携帯したユーザが誘導装置の近くに移動すると，端末が発信する個人情報を誘導装置が受信し，ユーザの障害の種類などに応じて提供する情報を選択するシステムが提案されている。
さらに，特許文献３〜５には，基地局（情報配信装置）の無線通信エリア内に入った端末が，ユーザ情報を基地局に送信し，これに応じてユーザが要求する情報を端末の識別情報（ユーザの識別情報）を付加して一斉送信することにより，端末が自身の識別情報が付加された情報（コンテンツ）を取得・再生するシステムが提案されている。
また，特許文献６には，赤外線による情報発信機から音声情報等を発信し，指向性のある赤外線受信器を搭載した端末を情報発信機に向けることにより，特定の発信機からの情報のみを選択受信できる情報案内システムが提案されている。
【特許文献１】特開平１０−２６３００５号公報
【特許文献２】特開２００２−１６３７６７号公報
【特許文献３】特開２００１−３０８８０８号公報
【特許文献４】特開２００２−３５３８８５号公報
【特許文献５】特開２００２−３５４５２０号公報
【特許文献６】特開２００１−１４４６７３号公報
【発明の開示】
【発明が解決しようとする課題】
【０００４】
しかしながら，特許文献１に示される技術では，いわゆる放送型の情報配信であるため，１つの誘導装置に複数の携帯端末（ユーザ）が接近した場合に，各携帯端末に個別の情報を配信することができないという問題点があった。さらに，複数の誘導装置の通信エリアの重複エリアでは，ユーザがいずれの誘導装置に関する情報配信を希望しているかを判別できず，複数の誘導装置による案内音声が混信する等の混乱が生じるという問題も生じ得る。
また，特許文献２に示される技術では，誘導装置が，端末から受信する個人情報に応じた情報を提供することができるが，複数の誘導装置の通信エリアの重複エリアでの送信元の選択の問題は残る。
また，特許文献３〜５に示される技術でも，１つの基地局の通信エリアに複数の端末が存在する場合に，各端末にユーザが望む情報（コンテンツ）を配信できが，複数の基地局の通信エリアの重複エリアでの基地局の選択の問題は残る。
また，特許文献６に示される技術では，複数の発信機の通信エリアの重複エリアでの送信元の選択の問題は解消されるが，端末ごとに個別の情報配信を受けることができず，さらに，通信状態を維持するためには，赤外線受信器を情報発信機の方向に向けた状態を保持しなければならず，配信情報の容量が大きい或いは所望の情報を要求してそれが配信されるまでにタイムラグがある等により，情報受信に時間を要する場合には利便性が悪いという問題点があった。
従って，本発明は上記事情に鑑みてなされたものであり，その目的とするところは，携帯電話機のダイヤルアップ接続による公衆回線を通じた無線通信機能を有効活用でき，情報発信側の複数の無線送信エリアが重複するエリアに無線端末が存在する場合でも，いずれの送信元に関する情報を用いて公衆回線を通じた通信を行うかをユーザの希望に沿って容易に選択できる無線端末，さらには，携帯電話機を介して公衆回線に接続された情報配信装置から個別の情報配信を受けることができ，情報受信に時間を要する場合でも利便性を低下させない無線端末を提供することにある。
【課題を解決するための手段】
【０００５】
上記目的を達成するために本発明は，携帯電話機に接続されて携帯可能な無線端末において，指向性を有する無線受信手段であって所定の場所に配置された所定の無線送信装置が存在する方向に向けられた場合に該無線送信装置に関する特定情報を受信する特定情報受信手段と，前記携帯電話機を制御することにより，該携帯電話機を通じて，公衆回線に接続して前記特定情報を用いた通信を行う携帯電話制御手段と，を具備してなることを特徴とする無線端末として構成されるものである。
これにより，指向性を有する無線受信手段である前記特定情報受信手段を所定方向へ向けるだけで，所望の前記無線送信手段に関する前記特定情報を煩わしい選択操作を行うことなく取得でき（即ち，送信元（前記無線送信手段）の選択が容易），取得した特定情報を用いた無線通信を，携帯電話機のダイヤルアップ接続による公衆回線を通じた無線通信機能により実行することができる。
【０００６】
また，前記携帯電話制御手段が，前記携帯電話機を通じて，前記特定情報を含む所定の情報配信要求を前記公衆回線に接続された所定の情報配信装置に対して送信するとともに，該情報配信要求に応じて前記情報配信装置から返信される前記特定情報に基づく配信情報を受信するものであり，前記配信情報を出力する第１の出力手段を具備するものが考えられる。
これにより，携帯電話機を通じて公衆回線（インターネット）上のＷｅｂサーバ等から前記特定情報に対応する配信情報（例えば，前記特定情報を受けた前記無線送信手段が配置された場所や施設に対応する案内情報等）を取得することができる。このような無線端末を用いれば，前記無線送信手段の選択が容易であり，かつ携帯電話機を有効活用できる情報配信システムを構築することができる。
【０００７】
また，前記携帯電話制御手段が，前記情報配信要求に当該無線端末の識別情報も含めて送信すれば，各無線端末に対応する個別の配信情報を前記情報配信装置から取得できる。
【０００８】
また，前記携帯電話制御手段が，前記携帯電話機を制御することにより，前記特定情報に基づく音声メッセージを前記公衆回線を通じて他の電話機に送信してなるものが考えられる。
これにより，例えば，前記無線送信手段が配置された場所や施設の名称等の音声メッセージを他の電話機に送信することによって，当該無線端末のユーザの居場所を所定の宛先（自宅の電話機等）へ通知するシステム等へ応用することができる。
ここで，前記特定情報受信手段としては，例えば指向性の設定が容易な赤外線による無線受信手段等が考えられる。
【０００９】
また，前記特定情報の一部又は全部が前記無線送信手段に対応する説明情報であり，前記説明情報を出力する第２の出力手段を具備するものも考えられる。
前記説明情報としては，例えば前記無線送信手段が設置されている場所や施設等について説明する音声情報や文字情報，画像情報等が考えられる。
【００１０】
また，前記第１の出力手段及び／又は前記第２の出力手段が，前記携帯電話制御手段と有線又は無線により通信可能であり前記携帯電話制御手段と分離して構成されてたものであれば，携帯電話機はカバンの中等に入れ，前記各出力手段の部分のみを取り出した状態で使用でき便利である。
この場合，さらに，前記携帯電話制御手段と有線又は無線により通信可能であり前記携帯電話制御手段と分離して構成された音声入力手段を具備し，前記第１の出力手段及び／又は前記第２の出力手段が音声出力手段であり，前記携帯電話制御手段が，前記携帯電話機を通じて，前記音声入力手段及び前記音声出力手段を用いた他の電話機との通話処理を実行するものであれば，前記携帯電話機をカバンの中等から取り出すことなく通話もできるのでより便利である。
【発明の効果】
【００１１】
本発明によれば，携帯電話機のダイヤルアップ接続による公衆回線を通じた無線通信機能を有効活用して，情報発信側の最寄りの無線送信手段に関する特定情報を用いた通信を行うことができる。その際，情報発信側の複数の無線送信エリアが重複するエリアに無線端末が存在する場合でも，いずれの送信元に関する情報を用いて公衆回線を通じた通信を行うかの選択を，指向性を有する無線受信手段である前記特定情報受信手段を目的の方向へ向けるだけで，煩わしい選択操作なしに行うことができる。
一方，携帯電話機による通信は特に指向性は有さないので，送信元（無線送信手段）を選択するときだけ前記識別情報受信手段を目的方向へ向ければ，その状態を保持しなくても公衆回線を通じて前記特定情報を用いた通信を行うことができ，情報受信等に時間を要する場合でも利便性が低下しない。
また，前記携帯電話機を通じて，前記特定情報を含む所定の情報配信要求を前記公衆回線に接続された所定の情報配信装置に対して送信し，返信される配信情報を受信して出力するものであれば，前記無線送信手段の選択が容易であり，かつ選択した前記無線送信手段に対応する配信情報を携帯電話機を有効活用して取得できる情報配信システムを構築することができる。
さらに，前記情報配信要求に当該無線端末の識別情報も含めて送信すれば，各無線端末に対応する個別の配信情報を前記情報配信装置から取得できる。
また，前記携帯電話機を制御して前記特定情報に基づく音声メッセージを他の電話機に送信することにより，無線端末のユーザの居場所を所定の宛先（自宅の電話機等）へ通知するシステム等への応用が可能となる。
【発明を実施するための最良の形態】
【００１２】
以下添付図面を参照しながら，本発明の実施の形態について説明し，本発明の理解に供する。尚，以下の実施の形態は，本発明を具体化した一例であって，本発明の技術的範囲を限定する性格のものではない。
ここに，図１は本発明の実施の形態に係る無線端末を構成要素とする情報配信システムＸの概略構成を模式的に表した図，図２は情報配信システムＸの構成を表すブロック図，図３は情報配信システムＸにおける情報配信処理の手順を表すフロー図である。
【００１３】
まず，図１を用いて，本発明の実施の形態に係る無線端末を構成要素とする情報配信システムＸの概略構成について説明する。
情報配信システムＸは，携帯電話機及びこれに接続される無線端末を携帯して移動するユーザに対して，そのユーザの居場所に関連する案内情報等の配信サービスを提供するシステムである。
情報配信システムＸは，大きくは携帯電話機１と，該携帯電話機１に接続される携帯可能な無線端末１０と，該無線端末１０に対して所定の情報が含められた無線信号を送信する無線発信機２１と，前記携帯電話機１が無線接続する公衆電話回線に接続されたインターネット（以下，公衆回線２２という）に接続された情報配信用のサーバ２３とに分けられる。
前記携帯電話機１は，他の携帯電話機や通常の電話機との通話機能，及び前記公衆回線２２に接続された前記サーバ２３に通信接続してホームページへのアクセス及び表示やデータのダウンロード等を行うＷｅｂブラウザ機能を有するとともに，所定の外部装置（パーソナルコンピュータや前記無線端末１０）と接続されて通信を行う通信インターフェース１ａを備えた一般的な携帯電話機である。本携帯電話機１は，該携帯電話機１本体が備える操作キーの操作により，指定された電話番号の発呼や，前記公衆回線２２を通じた前記サーバ２３へのアクセスを行うが，前記操作キーの操作に対応する制御コマンド及びパラメータが前記通信インターフェース１ａを通じて入力された場合には，前記操作キーの操作により実行される処理と同じ処理を実行する。
また，前記通信インターフェース１ａに外部装置が接続されている場合は，前記操作キーの操作に対応する入力信号が，前記通信インターフェース１ａを介して外部装置側へ送信される。これにより，当該携帯電話機１の操作キーが，外部装置の入力手段となる。
【００１４】
前記無線端末１０は，前記携帯電話機１とともにユーザに携帯されて持ち歩かれることにより移動可能である。また，所定範囲の指向性を有する（所定角度内の方向からの無線信号のみを受信可能な）無線受信手段である指向性無線受信機１１１と，イヤホン及びマイクを備えたヘッドセット１１と，該ヘッドセット１１との近距離通信機能及び前記携帯電話機１に接続されて該携帯電話機１を制御する機能，並びに前記サーバ２３から受信した音声や画像等の情報（以下，コンテンツという）の受信機能を有する携帯アダプタ１２とを具備している。
前記指向性無線受信機１１１は，前記ヘッドセット１１がユーザの頭部にセットされた状態で，ユーザが顔を向けた方向における所定角度範囲からの無線信号のみを受信する指向性を有している。このため，前記指向性無線受信機１１１は，ユーザが向いた方向にある前記無線発信機２１からの無線信号のみを受信する。
前記ヘッドセット１１のマイク１１３から入力されたユーザの音声信号，及び前記指向性無線受信機１１１により受信された信号は，前記近距離通信機能により前記携帯アダプタ１２に送信され，該携帯アダプタ１２内で後述する処理がなされる。
また，前記携帯アダプタ１２により受信された音声信号は，前記近距離通信機能により前記ヘッドセット１１に送信され，前記イヤホン１１２から音声出力される（前記イヤホン１１２が前記第１及び第２の出力手段の一例）。
前記近距離通信機能によって，前記ヘッドセット１１の部分と前記携帯アダプタ１２（携帯電話インターフェース１２５）の部分とが分離して構成されているので，小型化された前記ヘッドセット１１のみを頭部に装着し，前記携帯アダプタ１２はカバンの中に入れる等して持ち歩けるので携帯性に優れている。
前記近距離通信機能に用いる通信方式としては，例えば，２．４ＧＨｚ帯の電波によるBluetooth規格等の無線信号及び通信方式を採用することが考えられるが，他の通信方式であってもかまわない。また，無線通信を用いずに，有線接続して直接伝送することも考えられる。
【００１５】
一方，前記無線発信機２１は，複数の場所に配置され，各々所定の送信エリア内の前記無線端末１０（の前記指向性無線受信機１１１）に対して無線信号を送信するものである。
また，前記サーバ２３（前記情報配信配信装置の一例）は，前記公衆回線２２により接続され，前記携帯電話機１を通じて前記無線端末１０からのコンテンツの配信要求を受信し，これに対応するコンテンツ（配信情報）を前記公衆回線２２を介して前記無線端末１０に送信するものである。
前記無線発信機２１は，前記携帯電話機１に接続された前記無線端末１０を携帯したユーザの移動経路周辺の複数の場所に配置され，例えば所定の無線信号を常時断続的に発信し，その無線信号は，前記無線発信機２１の送信エリア内に入った前記無線端末１０の前記指向性無線受信機１１１によって受信される。
ここで，前記ヘッドセット１１の前記指向性無線受信機１１１は指向性を有しているので，ユーザは，複数の前記無線発信機２１の送信エリアが重複するエリアに入っている場合でも，目的とする前記無線発信機２１の方向に顔を向けるだけで，煩わしい操作を行うことなく無線信号の送信元を容易に選択することができる。
前記無線発信機２１と前記指向性無線受信機１１１との間の無線信号としては，例えば，指向性の設定が容易な赤外線信号を用いることが考えられるが，これに限るものでなく，２．４ＧＨｚ帯の電波によるBluetooth規格等の他の無線信号及び通信方式を用いてもよい。
【００１６】
前記無線発信機２１から送信される無線信号は，前記無線発信機２１それぞれを識別する発信機ＩＤ（例えば，前記無線発信機２１の地図上の配置位置を表す記号等）と，前記無線発信機２１に対応する説明情報を送信する信号である。
前記説明情報としては，例えば，前記無線発信機２１の配置場所に関する説明情報が考えられる。前記無線発信機２１を主要な施設や建物等ごと，或いは町名が変わる場所ごと等に配置した場合に，その施設や建物，町名（配置場所）を説明する音声データや文字データ等とすれば，これを前記イヤホン１１２に出力して聞く，或いは前記携帯電話機１の表示部に表示させて見ることにより，ユーザが見ている（顔を向けている）施設等が何であるかを容易に把握できる。前記説明情報を音声情報とすれば，周囲の状況を音声で確認できるので，視覚障害者向けの誘導システムへの適用が好適である。
【００１７】
次に，図２に示すブロック図を用いて，情報配信システムＸをさらに詳説する。
前記無線発信機２１は，赤外線等により前記ヘッドセット１１に対して無線信号を送信する無線発信部２１１と，フラッシュメモリやＥＰ2ＲＯＭ，ＲＡＭ等の記憶手段であり，当該無線発信機２１の識別情報である発信機ＩＤや前記説明情報（前記特定情報の一例）を記憶する情報記憶部２１３と，該情報記憶部２１３に記憶された情報を前記無線発信部２１１で送信可能な信号に変調する情報変調部２１２とを具備している。
図２に示す例では，前記無線発信機２１は，前記サーバ２３と分離して示しているが，前記ＬＡＮ又はＷＡＮ２４を介して前記サーバ２３と通信可能に構成することも考えられる。これにより，前記発信機ＩＤや前記説明情報の更新を，前記サーバ２３からネットワーク経由で行えるため，メンテナンス性が向上する。
前記携帯電話機１と前記サーバ２３とが，前記公衆回線２２を介して行う通信技術については，周知であるのでここでは説明を省略する。
【００１８】
前記サーバ２３は，液晶表示パネル等の表示手段，マウスやキーボード等の入力手段，各種データを記憶するハードディスク等の記憶手段，ＣＰＵ及びＲＯＭ，ＲＡＭ等の周辺機器からなり，インターネットを通じてのＨＴＴＰによるホームページの送信や，アクセスしてくる端末からの要求に応じた処理（ＣＧＩの実行等により行う処理），ＦＴＰ等によるファイル（コンテンツ等）のアップロードやダウンロード等のＷｅｂサーバ機能を具現する制御手段を備える一般的なサーバ計算機である。
前記サーバ２３の記憶手段には，前記発信機ＩＤと，前記無線発信機２１が配置された位置及び前記無線発信機２１の送信エリア全体の中の各位置を特定できる地図情報と，前記無線端末１０へ配信する各種コンテンツ（音声データ等）とが関連付けられて予め記憶されている。さらに，前記サーバ２３の記憶手段には，コンテンツの抽出（選択）に用いる抽出補助情報として，ユーザの行き先や使用言語等が前記ユーザＩＤに対づけて記憶されている。
これにより，前記無線端末１０の最寄りの前記無線発信機２１の前記発信機ＩＤから前記無線端末１０の位置を特定でき，さらに，その位置から前記ユーザＩＤから特定できるユーザの行き先までの進路を案内するユーザの使用言語による音声データ（コンテンツ）を選択或いは編成することができる。
また，前記携帯電話機１或いは前記無線端末１０が画像出力（再生）可能な場合には，地図画像をコンテンツとして記憶し，対応する地図画像データ（コンテンツ）を選択（抽出）して該地図画像上に進路（移動経路）を合成した画像データを生成（編成）・配信することも考えられる。
前記サーバ２３は，前記無線端末１０からコンテンツの配信を要求するサービス要求を前記携帯電話機１及び前記公衆回線２２を通じて受信し，該サービス要求に基づいて編成等した前記コンテンツを逆のルートで前記無線端末１０側へ送信（配信）する。
【００１９】
前記ヘッドセット１１は，前記指向性無線受信機１１１と，前記イヤホン１１２と，前記マイク１１３と，前記携帯アダプタ１２との近距離無線通信を行うための近距離通信インターフェース１１０とを備えている。
また，前記携帯アダプタ１２は，以下の各構成要素を備えている。
（近距離通信インターフェース１２０）
前記ヘッドセット１１側の前記近距離通信インターフェース１１０との間で前記近距離無線通信を行うための近距離通信インターフェースである。前記ヘッドセット１１側との間で授受される全ての情報（データ）は，当該近距離通信インターフェース１２０を通じて送受信される。
（受信情報復調部１２１）
前記指向性無線受信機１１１によって前記無線発信機から受信した信号（通信のために変調された信号）を前記近距離通信インターフェース１２０を介して入力し，その入力信号を復調して受信情報を抽出するものである。抽出する受信情報は，前記説明情報である音声信号と前記発信機ＩＤである。
（記憶部１２２）
前記携帯アダプタ１２を使用するユーザの識別情報（無線端末１０の識別情報に相当）であるユーザＩＤや，所定のＩＳＰへダイアルアップ接続するための電話番号及びユーザ認証情報，前記ヘッドセット１１からの受信情報，さらには前記サーバ２３から受信したコンテンツ等の各種情報を記憶するフラッシュメモリやＥＰ2ＲＯＭ，ＲＡＭ等の記憶手段である。
（音声認識部１２３）
前記ヘッドセット１１の前記マイク１１３から入力された音声信号に基づいて周知の音声認識処理を行うことにより，入力音声信号から，ユーザが声で指示した操作に対応する操作コマンドを抽出するものである。抽出した操作コマンドは後述する制御部１２９に出力される。
（携帯電話インターフェース１２５）
前記携帯電話機１の前記通信インターフェース１ａに接続され，前記携帯電話機１の制御を行うものである。この制御としては，電話番号を指定してその電話番号へ発呼させることや，前記サーバ２３との通信を行わせること等があり，当該携帯電話インターフェース１２５への制御指示は，後述する制御部１２９によってなされる（前記携帯電話インターフェース１２５及び前記制御部１２９が前記携帯電話制御手段の一例）。
当該携帯アダプタ１２と前記サーバ２３との間で送受信される情報（データ）は，全てこの携帯電話インターフェース１２５（前記配信要求送信手段及び配信情報受信手段の一例）を通じて送受信される。
（スイッチ部１２８）
前記ヘッドセット１１から受信した音声信号と，前記携帯電話インターフェース１２５を介して他の電話機や前記サーバ２３側から受信した音声信号とのいずれを前記ヘッドセット１１側の前記イヤホン１１２に出力するかを切り替えるスイッチである。スイッチの切り替え制御は，後述する制御部１２９により行われる。
（制御部１２９）
前記携帯アダプタ１２全体の各種動作の制御及び前記携帯電話インターフェースを介した前記携帯電話機１の制御を行うものである。不図示のＣＰＵと，ＲＯＭ，ＲＡＭ等の周辺装置とを備え，前記ＲＯＭに記憶された所定のプログラムを前記ＣＰＵが実行することにより，各種制御を実行する。
【００２０】
次に，図３のフロー図を用いて，情報配信システムＸにおける情報配信処理の手順について説明する。以下，Ｓ１１，Ｓ１２，…は，処理手順（ステップ）の番号を表す。
まず，前記無線発信機２１は，所定の送信エリア内に自身の前記発信機ＩＤと自身の設置場所等に関する前記説明情報とを変調により含めた無線信号を常時断続的に送信している（Ｓ２１）。
一方，前記ヘッドセット１１を装着したユーザが，いずれかの前記無線発信機２１の送信エリア内に入り，最寄りの（目的とする）前記無線発信機２１が設置された施設や建物等の方向を向くことにより，前記指向性無線受信機１１１を前記無線発信機２１の方向に向けると，前記指向性無線受信機１１１によって前記無線発信機２１からの無線信号が受信される（Ｓ１１）。
ここでは，前記無線発信機２１側から一方的（放送的）に前記無線信号を送信する形態を示しているが，もちろん，前記無線端末１０側から所定の要求信号を送信し，これに応じて前記無線発信機２１側から前記無線信号を送信する，或いは前記無線発信機２１側からの所定の応答要求に対して前記無線端末１０側から応答があった場合に前記無線信号を送信する等の通信の形態としてもかまわない。
【００２１】
次に，受信した無線信号が前記受信情報復調部１２１によって復調されて，前記発信機ＩＤ及び前記説明情報（ここでは，説明用音声信号）が抽出される（Ｓ１２）。
さらに，抽出された前記発信機ＩＤは前記制御部１２９によって前記記憶部１２２に記憶されるとともに，前記説明用音声信号は，前記イヤホン１１２から出力（再生）される（Ｓ１３）。
ここで，前記説明情報（音声）を確認したユーザは，それが目的とする前記無線発信機２１（が設置された施設等）に関するものである場合には，所定の確定操作を行う。この確定操作は，前記表示操作部１２４の所定の確定ボタンを押すことによって，或いは前記マイク１１３からその確定操作に対応する音声を入力して前記音声認識部１２３により操作コマンドを認識することによって行われる。
【００２２】
前記制御部１２９は，前記確定操作がなされたか否かをチェックし（Ｓ１４），前記確定操作がない場合はＳ１１へ戻って処理を繰り返すが，前記確定操作があった場合には，前記携帯電話インターフェース１２５を通じて前記携帯電話機１を制御することにより，所定のサービス要求（情報配信要求の一例）を前記サーバ２３に対して送信する。
このとき，前記携帯電話機１は，前記制御部１２９からの制御指令に応じて，予め設定されたＩＳＰ（インターネット・サービス・プロバイダ）の接続ポイントの電話番号を発呼し，予め設定されたアカウント及びパスワードのＩＳＰへの送信により認証を受けてインターネットに接続した上で，前記制御部１２９から指定されたＵＲＬを接続先として，Ｗｅｂブラウザ機能を用いて前記サーバ３１に接続し，前記サービス要求を送信（転送）する（Ｓ２２）。もちろん，既に，インターネットに接続中である場合は，インターネットへの接続処理は省略される。
以後，前記携帯電話機１は，前記制御部１２９の制御指令に従って前記サーバ２３との通信を行う。
前記サービス要求には，Ｓ１１で受信した前記発信機ＩＤと前記記憶部１２２に予め記憶された当該無線端末１０を使用するユーザの前記ユーザＩＤとが含められる。さらに，ユーザによる前記携帯電話機１の操作キーの設定操作に応じて，サービス（要求コンテンツ）を特定する要求識別情報が含められる場合もある。前記要求識別情報としては，予め前記サーバ２３へ登録した行き先への進路を案内する誘導案内情報（「××へ行くには，そのビルの玄関を入って右手のエレベータで３階までお越しください。」等）の要求や，最寄りの主要な観光地に関する観光案内情報の要求等に対応するものである。
【００２３】
一方，前記サーバ２３は，前記サービス要求を受信し（Ｓ３１），所定のプログラムを実行することにより，受信した前記サービス要求に対応するコンテンツ（音声データ）を選択或いは編成し，これを前記無線端末１０に対して送信する（Ｓ３２）。
ここで，前記サーバ２３の記憶手段には，前述したように，前記発信機ＩＤと，前記無線発信機２１が配置された位置等を特定できる地図情報と，各種コンテンツ（音声データ等）とが関連付けられて予め記憶されており，さらに，前記ユーザＩＤと関連づけてそのユーザの行き先情報及びそのユーザの使用言語も予め登録（記憶）されている。
これにより，前記サーバ２３は，前記サービス要求に含まれる前記ユーザＩＤと前記発信機ＩＤとから，それぞれユーザの行き先情報及び使用言語とそのユーザ（の使用する無線端末１０）の位置とを特定する。さらに，前記サービス要求に前記要求識別情報が含まれていない場合には，特定したユーザの位置及び行き先の情報に基づいて，前記サービス要求を送信したユーザの位置からそのユーザの行き先までの前記使用言語による前記誘導案内情報（音声情報等）を配信コンテンツとして選択或いは編成する。また，他の情報（コンテンツ）を要求する前記要求識別情報が含まれている（設定されている）場合は，その要求識別情報に対応するコンテンツを選択或いは編成する。
【００２４】
一方，前記携帯電話機１では，前記サーバ２３から送信（配信）されてきたコンテンツを受信して前記無線端末１０側へ転送する（Ｓ２３）。
さらに，前記無線端末１０では，コンテンツ（配信情報）を受信し（Ｓ１６），受信したコンテンツを出力（再生）（Ｓ１７）した後，Ｓ１１へ戻って前述した処理が繰り返される。
このように，携帯電話機１のダイアルアップ機能による公衆回線を介した通信を利用して配信情報（コンテンツ）の要求・受信が行われるので，各無線端末１０が個別に配信情報を要求して取得できる。
この出力処理では，音声データについては，前記イヤホン１１２から出力（再生）され，文字情報や画像情報については，前記制御部１２９によって前記携帯電話インターフェース１２５を通じて前記携帯電話機１の表示部に表示（再生）される。
【００２５】
以上示したように，前記無線端末１０に指向性を有する前記指向性無線受信機１１１が設けられているので，ユーザは，複数の前記無線発信機２１（無線送信手段）の送信エリアが重複するエリアに入っている場合でも，目的とする前記無線発信機２１の方向に前記指向性無線受信機１１１を向ける（前記ヘッドセット１１の場合は顔を向ける）だけで，煩わしい操作を行うことなく無線信号の送信元を容易に選択することができる。
また，前記発信機ＩＤ（無線送信手段の識別情報）が前記無線発信機２１から前記無線端末１０を経て前記サーバ２３へ伝送されるので，前記サーバ２３は，前記発信機ＩＤに基づいて前記無線端末１０の位置（前記発信機ＩＤを受信した位置）を特定することができ，その位置に対応した（ユーザのニーズに応じた）配信情報を選択・配信することができる。しかも，配信情報の選択・配信は，指向性を有さない携帯電話機の無線通信を通じて行われるので，配信情報の受信に時間を要する場合でも，前記指向性無線受信機１１１を一定方向に向けた状態を保持しなければならないといった利便性の低下要因がない。
さらに，前記ユーザＩＤ（無線端末の識別情報）が前記無線端末１０から前記サーバ２３へ送られるので，該サーバ２３は，各ユーザに対応した配信情報（そのユーザの行き先に応じた案内情報や，そのユーザの使用言語に対応した情報等）を配信できる。
【００２６】
以上示した実施の形態は，インターネット上のサーバから情報配信を受けるシステムの例を示したが，本発明の適用分野はこれに限るものではない。
例えば，前記制御部１２９が，前記携帯電話インターフェース１２５を通じて前記携帯電話機１を制御することにより，音声情報である前記説明情報（前記特定情報に基づく音声メッセージの一例）を前記公衆回線を通じて他の電話機に送信（電話の通話機能による音声送信）すること等も考えられる。
これにより，例えば，前記無線発信機２１が配置された場所や施設の名称等の音声メッセージを他の電話機に送信することによって，当該無線端末のユーザの居場所を所定の宛先（自宅の電話機等）へ通知するシステム等を構築することができる。
【００２７】
また，例えば，前記制御部１２９が，前記携帯電話インターフェース１２５を通じて前記携帯電話機１を制御することにより，電話による自動音声応答システム（前記情報配信配信装置の一例）へ通話接続（発呼）し，前記発信機ＩＤをトーン信号で発呼することにより，前記発信機ＩＤに対応する音声ガイダンスを前記自動音声応答システムから受信（電話の通話機能による音声受信）すること等も考えられる。
【産業上の利用可能性】
【００２８】
携帯電話機に接続された無線端末により，携帯電話機を通じて公衆回線に接続して通信を行う通信システム等への利用が考えられる。
【図面の簡単な説明】
【００２９】
【図１】本発明の実施の形態に係る無線端末を構成要素とする情報配信システムＸの概略構成を模式的に表した図。
【図２】情報配信システムＸの構成を表すブロック図。
【図３】情報配信システムＸにおける情報配信処理の手順を表すフロー図。
【符号の説明】
【００３０】
１０…無線端末
１１…ヘッドセット
１２…携帯アダプタ
２１…無線発信機（無線送信手段）
２３…サーバ（情報配信装置）
１１１…指向性無線受信機（特定情報受信手段）
１１２…イヤホン（第１及び第２の出力手段，音声出力手段）
１１３…マイク（音声入力手段）
１２２…記憶部
１２５…携帯電話インターフェース（携帯電話制御手段）
１２９…制御部（携帯電話制御手段）
Ｓ１１，Ｓ１２，，，…処理手順（ステップ）
【図１】
2005286464.tif 000003
【図２】
2005286464.tif 000004
【図３】
2005286464.tif 000005